(57)【特許請求の範囲】
【請求項１】
杭孔を囲むようにして地上の所定位置に設置する下架台と、この下架台の上部の所定位置に設置する上架台と、鋼管杭を吊り下げて前記上架台の上方から前記杭孔に落とし込む吊り込み用治具と、この鋼管杭の上部を前記上架台の上に仮固定するかんざし等の支持材と、この仮固定の時に前記吊り込み用治具を外し、ＰＣ鋼棒を介して前記鋼管杭に取り付けられる吊下式の杭固定用治具とを備え、この杭固定用治具により前記鋼管杭を更に落とし込むと共に、杭固定用治具を前記上架台上にかんざし等の支持材を介して固定することで鋼管杭を所定位置に設置できるようにした鋼管杭設置装置。
【請求項２】
上架台の上部に、鋼管杭の落とし込みをガイドする複数個の可倒式ガイド装置が取り付けられた請求項１記載の鋼管杭設置装置。
【請求項３】
ＰＣ鋼棒に対する杭固定用治具の取付位置を調整することにより、鋼管杭が所定の埋め込み位置となるように予め設定した請求項１又は２記載の鋼管杭設置装置。
【発明の詳細な説明】
【０００１】
【発明の属する技術分野】
本発明は、鋼管杭を所定の位置に設置するための鋼管杭設置装置に関する。
【０００２】
【従来の技術】
近年、線路上空の有効利用を図るために駅の真上に駅ビルを建設したり、鉄道の立体交差化に伴う直上高架化工事や線路近接の高架橋の構築等が多くなっている。これ等の場合、線路に近接した建設工事の施工性や列車走行の安全確保等の観点から、掘削工事を少なくするため地中梁のない建築物や構築物が望ましいとされている。これは１柱１杭構造であって、従来一部で実施されており、地中梁を造るための仮土留め、掘削、路面覆工等が不要になる。
【０００３】
【発明が解決しようとする課題】
建築物や構築物の構造形式が鋼管柱を鋼管杭に埋め込む「鋼管差し込み工法」である場合には、鋼管杭の精度がそのまま上部構造の建築物や構築物の精度に反映されるため、多数の鋼管杭を所定の位置に設置することが重要視される。しかしながら、従来は鋼管杭の位置（水平、上下共）をｍｍ単位の精度で制御・管理する技術は存在しなかった。
そこで、本発明は、簡単な構成により鋼管杭を所定の位置に高精度に設置できるようにした鋼管杭設置装置を提供することを目的とする。
【０００４】
【課題を解決するための手段】
この目的を達成するための具体的手段として、本発明は、杭孔を囲むようにして地上の所定位置に設置する下架台と、この下架台の上部の所定位置に設置する上架台と、鋼管杭を吊り下げて前記上架台の上方から前記杭孔に落とし込む吊り込み用治具と、この鋼管杭の上部を前記上架台の上に仮固定するかんざし等の支持材と、この仮固定の時に前記吊り込み用治具を外し、ＰＣ鋼棒を介して前記鋼管杭に取り付けられる吊下式の杭固定用治具とを備え、この杭固定用治具により前記鋼管杭を更に落とし込むと共に、杭固定用治具を前記上架台の上にかんざし等の支持材を介して固定することで鋼管杭を所定位置に設置できるようにした鋼管杭設置装置を要旨とする。
又、この鋼管杭設置装置において、上架台の上部に、鋼管杭の落とし込みをガイドする複数個の可倒式ガイド装置が取り付けられたこと、
ＰＣ鋼棒に対する杭固定用治具の取付位置を調整することにより、鋼管杭が所定の埋め込み位置となるように予め設定したこと、を要旨とする。
【０００５】
【発明の実施の形態】
以下、本発明の実施の形態を添付図面に基づいて詳説する。
図１（イ）  〜（ト）  は、本発明に係る鋼管杭設置装置を用いて鋼管杭を設置する工程を示すもので、先ず（イ）  は架台セット工程であり、下架台１と上架台２とを杭孔３を取り囲むようにして地上の所定位置に設置する。
【０００６】
前記下架台１は、図２（イ）  、（ロ）  に示すように鋼材１ａにより枠状に形成されると共に、上部にサポート材１ｂが２本平行に差し渡して取り付けられ、上面の４隅部には吊下用のフック１ｃがそれぞれ取り付けられている。
【０００７】
前記上架台２は、図３（イ）  に示すように鋼材２ａによりほぼ井桁状に形成され、各辺の上面中央部には可倒式ガイド装置４が取り付けられ、４隅部には吊下用のフック２ｂがそれぞれ取り付けられている。
【０００８】
可倒式ガイド装置４は、図３（ロ）  のように鋼材２ａの上面にブラケット４ａが固定され、このブラケット４ａに支持筒４ｂがピン４ｃを介して枢支され、その支持筒４ｂの先端部にローラ４ｄが取り付けられている。前記支持筒４ｂを上架台２の内側に向けて倒すと、４つのローラ４ｄにより囲まれる円の直径が後記する鋼管杭５の外径と略等になっている。即ち、これ等のローラ４ｄは、鋼管杭５を落とし込む際にその外面に接触し、回転してガイド作用をなすものである。
【０００９】
このように構成された下架台１と上架台２は、いずれもクレーン等で吊り下げて動かし、下架台１は前記杭孔３に対応させて所定位置に、上架台２は下架台１に対応させて所定位置にそれぞれ設置される（図４）。
【００１０】
次に、図１（ロ）  のように鋼管杭５を吊り込み用治具６で吊り下げる。この吊り込み用治具６は、図５に示すように下部に一対のチェーン６ａを有し、このチェーン６ａの下端部を鋼管杭５の上側部に取り付けられた吊り金具７にそれぞれ取り付け、上部のフック６ｂをクレーン等で吊持するようになっている。
【００１１】
そして、図１（ハ）  のように前記鋼管杭５を上架台２の上方から挿入し、杭孔３内に落とし込む。この時、前記のように各ローラ４ｄを倒して鋼管杭５の落とし込み位置を規制すると共に、ガイド作用により円滑且つ確実な落とし込みを行う。
【００１２】
この落とし込みにより鋼管杭５の吊り金具７が上架台２の上面に接近したら、図１（ニ）  のように上架台２の上面にかんざし等の支持材８を差し渡し、吊り金具７を受止することにより鋼管杭５を吊持状態で仮固定する。
【００１３】
この仮固定時に、鋼管杭５の吊り金具７からチェーン６ａを外して吊り込み用治具６を退避させ、図１（ホ）  のように鋼管杭５の側部にＰＣ鋼棒９を取り付ける。
【００１４】
ＰＣ鋼棒９の取り付けは、図６に示すように鋼管杭５の上側部に取り付けられたブラケット１０にＰＣ鋼棒９の下端部を挿通し、そのねじ部９ａにナット１１を螺合しブラケット１０の下面に締着する。このＰＣ鋼棒９は対向位置に２本取り付ける。前記ねじ部９ａは、ＰＣ鋼棒９の全長に亙って設けておく方が好ましい。
【００１５】
図６において、１２は鋼材で形成された吊下式の杭固定治具であり、上部にＰＣ鋼棒９の取付部１２ａを有すると共に、その下方に通孔１２ｂがそれぞれ開けられ、両端部には吊下用のフック１２ｃが取り付けられている。
【００１６】
この杭固定治具１２の通孔１２ｂ及び取付部１２ａに前記ＰＣ鋼棒９の上端部を挿通し、そのねじ部９ａに蝶ナット１３を螺合し取付部１２ａの上面に締着することで、杭固定治具１２をＰＣ鋼棒９の上端部に取り付ける。その際、杭固定治具１２の取付位置を調整して、図１（ヘ）  のように鋼管杭５の天端と杭固定治具１２の下面との間隔Ｌが所定の寸法となるように予め設定する。これは最終的に鋼管杭５の設置位置を決定するための準備であり、ｍｍ単位で正確に調整することが可能である。
【００１７】
この後、杭固定治具１２を僅かに上昇させて前記上架台２から支持材８を取り外し、図１（ト）  のように杭固定治具１２により鋼管杭５を更に杭孔３内に落とし込み、杭固定治具１２が上架台２の上面に接近したら、上架台２の上面にかんざし等の支持材８を再度差し渡し、杭固定治具１２を受止することにより鋼管杭５を吊持状態で固定する。
【００１８】
鋼管杭５を固定すると、図７のように前記鋼管杭５の天端と杭固定治具１２の下面との間隔Ｌが予め設定されていることから、鋼管杭５の埋め込み位置つまり地上から鋼管杭５の天端までの所定距離Ｓが確保されることになる。
【００１９】
最後に、図示は省略したが鋼管杭５の周囲にモルタル等を充填し、その固化後に前記蝶ナット１３を緩めてＰＣ鋼棒９から杭固定治具１２を取り外して退避させる。
【００２０】
このようにして、多数の鋼管杭５を所定の位置に埋め込むことができ、鋼管杭５が例えばソイルセメント合成鋼管杭の場合には、図８（イ）  に示すようにＣＦＴ鋼管柱Ｐを鋼管杭５に差し込んで埋め込むことができる。
【００２１】
尚、鋼管差し込み工法において、杭全長を鋼管杭５にしないで、図８（ロ）  のように杭頭のみ鋼管Ｋで補強する場合もあるが、そのいずれにも適用が可能である。又、本発明は、一般の鋼管杭施工に展開することができ、鋼管杭設置の精度は向上し、品質確保が確実になる。
【００２２】
【発明の効果】
以上説明したように、本発明によれば、きわめて簡単な構成により鋼管杭を所定の位置に高精度に設置でき、特に１柱１杭構造の建築物や構築物に最適な技術であり、その施工に採用することで精度は容易に確保でき、手間コストも省ける等の優れた効果を奏する。
【図面の簡単な説明】
【図１】（イ）  〜（ト）  は、本発明に係る鋼管杭設置装置を用いた鋼管杭設置工程を順に示すそれぞれ説明図である。
【図２】下架台を示すもので、（イ）  は平面図、（ロ）  は立面図である。
【図３】上架台を示すもので、（イ）  は平面図、（ロ）  はそのＡ−Ａ線拡大断面図である。
【図４】下架台と上架台のセット状態を示す平面図である。
【図５】吊り込み用治具で鋼管杭を吊り下げた状態を示す概略斜視図である。
【図６】鋼管杭にＰＣ鋼棒及び杭固定治具を取り付ける状態を示す概略斜視図である。
【図７】鋼管杭の固定状態を示す概略立面図である。
【図８】（イ）  、（ロ）  は鋼管差し込み工法を示すそれぞれ説明図である。
【符号の説明】
１…下架台
２…上架台
３…杭孔
４…可倒式ガイド装置
５…鋼管杭
６…吊り込み用治具
７…吊り金具
８…支持材
９…ＰＣ鋼棒
１０…ブラケット
１１…ナット
１２…杭固定治具
１３…蝶ナット
【図１】
0003616894.tif 000002
【図２】
0003616894.tif 000003
【図３】
0003616894.tif 000004
【図４】
0003616894.tif 000005
【図５】
0003616894.tif 000006
【図６】
0003616894.tif 000007
【図７】
0003616894.tif 000008
【図８】
0003616894.tif 000009